(57)【要約】      （修正有）【課題】長尺シートを回転軸に巻き付けて取り付け、回転軸の自由な回転を阻止して長尺シートのたるみを阻止し、常時長尺シートを張った状態に保持することができる絵柄の表示装置を提供する。【解決手段】絵柄の表示装置は、額縁状の枠体１の裏面の左右両側に回転軸取り付け用の立ち上がり部４，４ａを設け、この立ち上がり部に回転軸を対向して取り付け、前記回転軸に絵柄が表された長尺シート９を巻き付けて取り付け、前記回転軸の一方又は双方に回転軸の回転を規制するストッパーを取り付けて構成する。【選択図】図２
0003146150.tif 000002
【実用新案登録請求の範囲】
【請求項１】
額縁状の枠体の裏面左右両側に回転軸取り付け用の立ち上がり部を対向して設け、この立ち上がり部間に上下２本の回転軸を対向して取り付け、
前記回転軸に絵柄が表された長尺シートを巻き付けて取り付け、
前記回転軸の一方又は双方に回転軸の回転を規制するストッパーを取り付けた、
絵柄の表示装置
【請求項２】
ストッパーは、回転軸取り付け用の孔の内面と回転軸との間に、スポンジを圧縮して装着して構成した、請求項１記載の絵柄の表示装置
【請求項３】
ストッパーは、回転軸取り付け用の孔を有する立ち上がり部の外面と、回転軸の突出端部との間にコイルバネを装着し、回転軸は常時コイルバネで外側へ付勢されるようにして構成した、請求項１記載の絵柄の表示装置
【請求項４】
長尺シートは透明シートとし、背面側に光源を設けた、請求項１ないし３の何れかに記載の絵柄の表示装置
【考案の詳細な説明】
【技術分野】
【０００１】
この考案は絵柄の表示装置に関するものであり、机上においたり壁に掛けたりして装飾目的で使用するほか、店舗におけるディスプレーやＰＯＰとしても使用できるものである。
【背景技術】
【０００２】
額縁状の枠体に回転軸を対向して設け、二本の回転軸に長尺シートを巻き付けて取り付け、枠体に表示される絵柄を変更できるようにした絵柄の表示装置は従来から知られている。
しかしながら、従来のこの種の装置は回転軸の自由な回転を阻止するための機構が備わっていない。そのために、回転軸を上下に配置した装置においては、長尺シートの重みで情報の回転軸が回転して、長尺シートにたるみが生じてしまう。また回転軸を左右に配置した装置においても、長尺シートにたるみがが生じることがある。
この種の装置において絵柄を美しく見せるためには長尺シートにたるみが生じることを阻止する必要がある。
【特許文献１】特開平９−８１０３７号
【考案の開示】
【考案が解決しようとする課題】
【０００３】
この考案は、長尺シートを回転軸に巻き付けて取り付けた絵柄の表示装置において、回転軸の自由な回転を阻止して長尺シートのたるみを阻止し、常時長尺シートを張った状態に保持することを課題とするものである。
【課題を解決するための手段】
【０００４】
この考案の絵柄の表示装置は、額縁状の枠体の裏面の左右両側に回転軸取り付け用の立ち上がり部を設け、この立ち上がり部に回転軸を対向して取り付け、前記回転軸に絵柄が表された長尺シートを巻き付けて取り付け、前記回転軸の一方又は双方に回転軸の回転を規制するストッパーを取り付けて構成する。
前記ストッパーは、回転軸取り付け用の孔の内面と回転軸との間に、スポンジを圧縮して装着した構成（請求項２）、回転軸取り付け用の孔を有する立ち上がり部の外面と、回転軸の突出端部との間にコイルバネを装着し、回転軸は常時コイルバネで外側へ付勢されるようにした構成（請求項３）等が考えられる。
請求項４の考案は、長尺シートとして透明シートを用いて背面側に光源を設けたものである。
【０００５】
この考案において、絵柄の語は、絵画に限定されるものではなく、写真、文字、図形記号その他シートに表示して肉眼で視認し得るものであれば全てを含むものとして使用する。
枠体は、長尺シートの表示された絵柄が外部から見ることのできるようにするための窓を有し、裏面に回転軸を取り付けるための壁あるいは凸部が存在すればよい。そして、壁に吊すための孔又はフックを設けたり、机上におくための脚を設けたりする構成を、用途に応じて適宜採用することができる。
【考案の効果】
【０００６】
この考案によれば、回転軸にストッパーを設けたので回転軸の回転が規制される。その結果、長尺シートは所望の位置に確実に停止し、張りが弱まってたるむことがなく、常時最適な状態で観賞することができる。
また、請求項４の考案においては長尺シートとして透明シートを使用して背面側に光源を配置したので、シートに表された絵柄を照明で照らし出すことができ、スライドのような効果を得ることができる。
【考案を実施するための最良の形態】
【０００７】
正面視横長方形の板体１に長方形の窓２を設け、この窓２にアクリル板などの透明板３を装着して額縁状の枠体を構成する。前記板体１の裏面の左右両側上部には回転軸を取り付けるための壁４，４を対向して設け、板体１の裏面の左右両側下部に回転軸を取り付けるための壁４ａ、４ａを対向して設け、これらの壁４，４及４ａ、４ａに回転軸取り付け用の孔を設け、上部の壁４，４の孔５，５間及び下部の壁４ａ、４ａの間に前記それぞれ回転軸７，８を取り付ける。
これら２本の回転軸７，８に透明な長尺シート９の端部をそれぞれ固定し、巻き付ける。この長尺シート９には前記窓（アクリル板）３の大きさに対応した任意の絵柄（例えば列車の写真）を印刷する。
前記下部の壁４ａの下縁の角度は、机上に載置したときに板体１がやや傾斜した状態に保持し得るようにとなるようにしてある。すなわち、壁４ａは枠体を机上に載置する際の支持脚として機能するようにしてある。なお、上下の壁は一体として構成してもよい。
また、前記壁４，４ａは前記板体１の左右側縁よりも内側に位置しており、板体１を縦長の位置で机上に載置したときにも壁４，４ａが支持脚となるようにすることが好ましい。
前記板体１の裏面下部には底板を設けてあり、この底板にＬＥＤなどの光源が配置することもできる。
【０００８】
前記２本の回転軸のうち上方の回転軸７の一端にはストッパーが設けてある。このストッパーの第一の態様を図３に示す。
図３において符号１２は前記前壁４の孔５に固着される筒である。この筒１２の内径は回転軸７の外径よりも大きくしてあり、筒１２と回転軸７との間に圧縮したスポンジ１３を装着してストッパーを構成している。
この場合、スポンジ１３の復元力によって回転軸７には大きな圧力が加わっており、回転軸７が自由に回転することはない。他方、回転軸を指でつまんで回そうとしたときは、無理なく回転させることができる。
符号１６，１７は回転軸を回転させるためのハンドルである。
【０００９】
図４はストッパーの第二の態様を示すものである。
回転軸７の一端は壁４から突出させ、その突出部分にバネ受け１４を取り付け、前記壁４の外面とバネ受け１４の間にコイルバネ１５を装着してストッパーを構成している。
この場合、回転軸７はコイルバネ１５によって常時壁４の外側へ付勢されているので、回転軸７が自由に回転することはない。他方、回転軸を指でつまんで回そうとしたときは、無理なく回転させることができる。
【産業上の利用可能性】
【００１０】
この考案は、長尺フィルムに表示された絵柄を撓みのない状態で観賞できるものであり、家庭や店舗における装飾やディスプレーとして有用なものである。そして絵柄を適宜選択することにより、観光地や博物館・美術館などの土産物としても適したものである。
【図面の簡単な説明】
【００１１】
【図１】この考案実施形態の正面斜視図
【図２】同じく背面斜視図
【図３】同じくストッパーの一例を示す断面図
【図４】同じくストッパーの別の例を示す断面図
【符号の説明】
【００１２】
１        板
３        透明板
４、４ａ  壁
５，５ａ  孔
７，８    回転軸
９        長尺シート
１２      筒
１３      スポンジ
１４      バネ受け
１５      コイルバネ
【図１】
0003146150.tif 000003
【図２】
0003146150.tif 000004
【図３】
0003146150.tif 000005
【図４】
0003146150.tif 000006